(57)【要約】【課題】天板部を筐体に対して上方から被せる簡単な作業で、天板部を筐体に対して円滑に装着することができるガスこんろを提供する。【解決手段】本開示のガスこんろは、上端が開口した筐体８と、天板部１と、天板部１を所定位置で筐体８に装着させる装着構造を具備する。この装着構造は、第一係止具５と第二係止具７を含む。第一係止具５は、天板部１と筐体８の一方に取り付けられる。第一係止具５は、弾性片５２を有する。第二係止具７は、天板部１と筐体８の他方に取り付けられる。第二係止具７は、弾性片５２が係止される凹所７２を有する。第一係止具５は、天板部１を筐体８に被せるときに、天板部１を所定位置に向けて案内するように傾斜したガイド面５５を有する。【選択図】図７
2020085326.tif 000002
【特許請求の範囲】
【請求項１】
上端に開口部を有する筐体と、
前記筐体内に取り付けられたガスバーナと、
前記ガスバーナの上部を通すためのバーナ挿通口を有する天板部と、
前記天板部を、前記開口部を閉じる所定位置で前記筐体に装着させる装着構造と、を具備し、
前記装着構造は、
前記天板部と前記筐体の一方に取り付けられ、弾性片を有する第一係止具と、
前記天板部と前記筐体の他方に取り付けられ、前記弾性片が係止される凹所を有する第二係止具と、を含み、
前記第一係止具は、前記天板部を前記筐体に被せるときに、前記天板部を前記所定位置に向けて案内するように傾斜したガイド面を有する
ガスこんろ。
【請求項２】
前記第一係止具は、水平方向に距離をあけて一対設けられ、
一対の前記第一係止具の各々において、もう一方の前記第一係止具から遠い側の側端面が、前記ガイド面である
請求項１に記載のガスこんろ。
【請求項３】
上端に開口部を有する筐体と、
前記筐体内に取り付けられたガスバーナと、
前記ガスバーナの上部を通すためのバーナ挿通口を有する天板部と、
前記天板部を、前記開口部を閉じる所定位置で前記筐体に装着させる装着構造と、を具備し、
前記装着構造は、
前記天板部と前記筐体の一方に取り付けられ、弾性片を有する第一係止具と、
前記天板部と前記筐体の他方に取り付けられ、前記弾性片が係止される凹所を有する第二係止具と、を含み、
前記第二係止具は、前記天板部を前記筐体に被せるときに、前記天板部を前記所定位置に向けて案内するように傾斜したガイド面を有する
ガスこんろ。
【請求項４】
前記第二係止具は、前記凹所が形成された本体部と、前記本体部から延長された延長片を有し、前記延長片に形成された傾斜面が、前記ガイド面である
請求項３に記載のガスこんろ。
【請求項５】
前記第一係止具は、前記天板部に取り付けられ、
前記第二係止具は、前記筐体に取り付けられている
請求項１から４のいずれか一項に記載のガスこんろ。
【発明の詳細な説明】
【技術分野】
【０００１】
本開示は、ガスこんろに関する。
【背景技術】
【０００２】
筐体と天板部を備えるガスこんろにおいて、筐体の開口を閉じるように天板部を装着するための構造として、筐体と天板部の両側に、互いに係止する係止具を設けることが、従来提案されている（例えば特許文献１参照）。
【先行技術文献】
【特許文献】
【０００３】
【特許文献１】特開２０１０−３２１３５号公報
【発明の概要】
【発明が解決しようとする課題】
【０００４】
上記した従来の技術では、筐体に対して天板部を正確な位置で閉じる必要があり、その位置からずれた場合には、互いの係止具が干渉する等して、天板部を装着する作業が円滑に行われない場合がある。
【０００５】
本開示は、天板部を筐体に対して上方から被せる簡単な作業で、天板部を筐体に対して円滑に装着することができるガスこんろを提供することを、目的とする。
【課題を解決するための手段】
【０００６】
本開示の一態様に係るガスこんろは、上端に開口部を有する筐体と、前記筐体内に取り付けられたガスバーナと、前記ガスバーナの上部を通すためのバーナ挿通口を有する天板部と、前記天板部を、前記開口部を閉じる所定位置で前記筐体に装着させる装着構造と、を具備する。前記装着構造は、前記天板部と前記筐体の一方に取り付けられ、弾性片を有する第一係止具と、前記天板部と前記筐体の他方に取り付けられ、前記弾性片が係止される凹所を有する第二係止具と、を含む。前記第一係止具は、前記天板部を前記筐体に被せるときに、前記天板部を前記所定位置に向けて案内するように傾斜したガイド面を有する。
【０００７】
本開示の別態様に係るガスこんろは、上端に開口部を有する筐体と、前記筐体内に取り付けられたガスバーナと、前記ガスバーナの上部を通すためのバーナ挿通口を有する天板部と、前記天板部を、前記開口部を閉じる所定位置で前記筐体に装着させる装着構造と、を具備する。前記装着構造は、前記天板部と前記筐体の一方に取り付けられ、弾性片を有する第一係止具と、前記天板部と前記筐体の他方に取り付けられ、前記弾性片が係止される凹所を有する第二係止具と、を含む。前記第二係止具は、前記天板部を前記筐体に被せるときに、前記天板部を前記所定位置に向けて案内するように傾斜したガイド面を有する。
【発明の効果】
【０００８】
本開示は、天板部を筐体に対して上方から被せる簡単な作業で、天板部を筐体に対して円滑に装着することができるという効果を奏する。
【図面の簡単な説明】
【０００９】
【図１】図１は、一実施形態のガスこんろの分解斜視図である。
【図２】図２は、同上のガスこんろの要部平面図である。
【図３】図３は、図２のＡ−Ａ線断面図である。
【図４】図４は、同上のガスこんろの要部から天板部を外した状態の斜視図である。
【図５】図５は、同上のガスこんろの要部から天板部を外した状態の別の斜視図である。
【図６】図６は、同上のガスこんろが備える第一係止具と第二係止具の斜視図である。
【図７】図７は、同上のガスこんろにおいて、天板部を装着する際に右側にずれた状態の要部断面図である。
【図８】図８は、同上のガスこんろにおいて、天板部を装着する際に左側にずれた状態の要部断面図である。
【図９】図９は、同上のガスこんろにおいて、天板部を装着する際に前側にずれた状態の要部断面図である。
【発明を実施するための形態】
【００１０】
（一実施形態）
本開示のガスこんろについて、一実施形態に基づいて説明する。図１には、一実施形態のガスこんろの全体を示している。
【００１１】
以下の説明では、一実施形態のガスこんろに対して使用者が位置する側を前側とし、これの反対側を後ろ側とする。以下の説明で用いる左側と右側は、使用者の視点を基準とする。
【００１２】
一実施形態のガスこんろは、ビルトインこんろである。一実施形態のガスこんろは、例えばキャビネット内に組み込まれて用いられる。
【００１３】
一実施形態のガスこんろは、上端に開口部８０（図４参照）が形成された金属製の筐体８と、筐体８の開口部８０を閉じるように筐体８に装着された天板部１と、筐体８の内側に取り付けられた２つのガスバーナ２を備える。
【００１４】
２つのガスバーナ２の上部が、天板部１が有する２つのバーナ挿通口１１０を通じて、それぞれ天板部１の上方に突出する。具体的には、前側のガスバーナ２が備えるバーナ本体２２の上部と、これに載置されたバーナキャップ２４が、前側のバーナ挿通口１１０を通じて上方に突出する。また、後ろ側のガスバーナ２が備えるバーナ本体２２の上部と、これに載置されたバーナキャップ２４が、後ろ側のバーナ挿通口１１０を通じて上方に突出する。
【００１５】
天板部１は、２つのバーナ挿通口１１０が上下に貫通形成された矩形平板状の天板本体１１と、左右のねじ具１６（図５等参照）を用いて天板本体１１に固定された矩形枠状の枠体１５を含む。天板本体１１と枠体１５は、ともに金属材料（例えばステンレス）を用いて成形されている。天板本体１１に枠体１５が連結された状態において、枠体１５は、天板本体１１の周縁部の下方に位置する。
【００１６】
天板本体１１のバーナ挿通口１１０の開口縁には、バーナリング１７が上方から着脱自在に装着される。更に、バーナリング１７の上に乗るように、五徳９が着脱自在に配置される。
【００１７】
天板本体１１のうち、２つのバーナ挿通口１１０よりも前側の箇所の上面には、左右のねじ具１６を用いて、左右に長い板状の遮熱壁１８が固定される。遮熱壁１８は、火炎から生じる輻射熱の影響で操作部３が高温になることを抑える部材である。
【００１８】
遮熱壁１８の下端面が有する図示略のねじ孔に対して、天板本体１１を通じて下方からねじ具１６を挿し込んで結合させることで、遮熱壁１８と天板部１が一体化する。
【００１９】
操作部３は、天板部１のうち前側の端部に設けられている。操作部３は、加熱モードの切り替え操作を行うための押しボタン式のスイッチ３１と、２つのガスバーナ２の火力操作を個別に行うための左右の摘み部３２を含む。左右の摘み部３２とスイッチ３１は、いずれも天板本体１１に設けた開口部分１１３を通じて、天板部１の上方から装着される。
【００２０】
図５等に示すように、天板本体１１の下面には、枠体１５を挟んで、左右一対の第一係止具５が更に固定されている。左右の第一係止具５はともに、前後方向に弾性的に撓むことが可能な弾性片５２を有する。左右の第一係止具５は、水平方向に距離をあけて位置する。
【００２１】
一実施形態のガスこんろでは、天板本体１１に対して下方から挿し込んだ左右のねじ具１６で、天板本体１１の周縁部の下面に対して、枠体１５と左右の第一係止具５が固定され、更に、天板本体１１の上面に遮熱壁１８が固定される。なお、これらの固定の手段はねじ固定に限定されず、溶接、接着等の手段を用いることも可能である。
【００２２】
図４等に示すように、筐体８の内側には、左右一対の第二係止具７が固定されている。左右の第二係止具７は、水平方向に距離をあけて位置する。天板部１に固定された左右の第一係止具５と、筐体８に固定された左右の第二係止具７は、一対一で対応する位置にある。
【００２３】
左右の第一係止具５の各々が有する弾性片５２は、対応する第二係止具７の凹所７２に弾性的に係止する（図３参照）。これにより、天板部１が、開口部８０を閉じる所定位置で筐体８に装着される。つまり、一実施形態のガスこんろでは、一対一で係止する関係にある第一係止具５と第二係止具７で、天板部１を筐体８に装着するための装着構造４を形成している。
【００２４】
第一係止具５の更に具体的な構造について、図６等に基づいて説明する。
【００２５】
第一係止具５は、支持片５１と、支持片５１によって片持ち状に支持された弾性片５２と、支持片５１に結合した固定片５３を、一体に有する。固定片５３には、ねじ具１６を通すための孔５３０が上下に貫通形成されている。孔５３０に通したねじ具１６を介して、固定片５３が天板部１の下面に固着される。
【００２６】
支持片５１と固定片５３は、互いに直交するように結合されている。支持片５１と固定片５３は、左右方向（つまり支持片５１と固定片５３の幅方向）から見たときにＬ字状を成すように結合されている。支持片５１には、前後方向（つまり支持片５１の厚み方向）に貫通するように開口５１０が形成されている。
【００２７】
支持片５１は、前後方向から見たときに、下側の箇所ほど（つまり固定片５３から離れた箇所ほど）幅狭となる台形状の外形を有する。支持片５１の左右の側端面５１５は、下側の箇所ほど互いに接近するように傾斜した一対の傾斜面である。
【００２８】
一実施形態のガスこんろでは、左右の側端面５１５のうち一方が、左右方向において天板部１を所定位置に近づくように案内するガイド面５５（図７、図８参照）として機能する。
【００２９】
弾性片５２は、支持片５１の下側の端部５１３から上方に向けて（つまり固定片５３から離れた側の端部５１３から、固定片５３に近づく方向に向けて）突出している。第一係止具５を前後方向に見たときに、弾性片５２は開口５１０の内側に位置する。
【００３０】
弾性片５２は、上下に長い板ばねの一部が、前方に向けて凸状に折れ曲がった形状を有する。この折れ曲がった部分が、弾性片５２の上下方向の一部に形成された係止部５２３である。
【００３１】
次に、第二係止具７の更に具体的な構造について、図６等に基づいて説明する。
【００３２】
第二係止具７は、弾性片５２が係止するための凹所７２が形成された平板状の本体部７１と、本体部７１に結合した左右一対の固定片７３と、本体部７１から斜めに延長された延長片７４を、一体に有する。
【００３３】
凹所７２は、本体部７１を前後方向に貫通する孔で構成されているが、凹所７２を非貫通に形成することも可能である。凹所７２が非貫通である場合の一例として、凹所７２は、前方に向けて凹んだ有底の溝形状を有する。
【００３４】
凹所７２は、係止部５２３が前方に入り込むことのできる開口形状を有する。凹所７２の上側の縁は、凹所７２に入り込んだ状態の係止部５２３が引っ掛かることができるように、一直線状に形成されている。
【００３５】
本体部７１とこれの左右両側の固定片７３は、上下方向から見てコ字状を成すように一連に結合されている。左右の固定片７３は互いに平行であり、それぞれが本体部７１と直交するように結合されている。
【００３６】
左右の固定片７３には、左右方向に貫通する孔７３０が形成されている。一実施形態のガスこんろにおいては、左右の固定片７３の一方が有する孔７３０にねじ具を通して筐体８の内側面に固定することで、第二係止具７を筐体８に固定することができる。
【００３７】
延長片７４は、本体部７１の上縁から前斜め上方に延長されている。第二係止具７は、延長片７４を有することで全体の強度が高められている。延長片７４は、開口部８０を通じて、筐体８の上端よりも上方の位置にまで突出する。
【００３８】
延長片７４は、本体部７１のうち凹所７２よりも上側の箇所（つまり上下方向において凹所７２よりも第一係止具５の固定片５３に近い側の箇所）から延長されている。延長片７４の傾きは、上下方向において凹所７２から離れた箇所ほど、前側に位置するような傾きである。延長片７４のうち後ろ斜め上方を向く傾斜面７４５が、前後方向において天板部１を所定位置に近づくように案内するガイド面７５として機能する。
【００３９】
したがって、一実施形態のガスこんろでは、天板部１を筐体８に対して上方から被せる簡単な作業で、天板部１を筐体８に対して円滑に装着することができる。
【００４０】
図７に示すように、天板部１を筐体８に被せるときに、天板部１が所定位置を基準として右側にずれているときには、右側の第一係止具５が有する右側の側端面５１５が、ガイド面５５として機能する。図７では、簡単のために筐体８内の機器類を省略している。
【００４１】
このとき、ガイド面５５には、筐体８の開口縁の右側の一部が摺接し、これにより天板部１が下方に移動するほどに天板部１は左側に徐々にスライドし、所定位置に向けて案内される。なお、ガイド面５５が摺接する部位を、筐体８の開口縁以外の部位に設定することも可能である。ガイド面５５が摺接する部位は、筐体８又はこれに接続された部材の一部であればよい。
【００４２】
図８に示すように、天板部１が所定位置を基準として左側にずれているときには、左側の第一係止具５が有する左側の側端面５１５が、ガイド面５５として機能する。図８においても、簡単のために筐体８内の機器類は省略している。
【００４３】
このとき、ガイド面５５には、筐体８の開口縁の左側の一部が摺接し、これにより天板部１が下方に移動するほどに天板部１は右側に徐々にスライドし、所定位置に向けて案内される。左側の第一係止具５においても、ガイド面５５が摺接する部位を、筐体８の開口縁以外の部位に設定することが可能である。ガイド面５５が摺接する部位は、筐体８又はこれに接続された部材の一部であればよい。
【００４４】
一実施形態のガスこんろでは、左右一対の第一係止具５の各々において、対を成すもう一方の第一係止具５から遠い側の側端面５１５が、ガイド面５５として機能する。つまり、右側の第一係止具５においては、もう一方の係止具５（左側の第一係止具５）から遠い側である右側の側端面５１５が、ガイド面５５として機能する。左側の第一係止具５においては、もう一方の係止具５（右側の第一係止具５）から遠い側である左側の側端面５１５が、ガイド面５５として機能する。
【００４５】
図９に示すように、天板部１が所定位置を基準として前側にずれているときには、延長片７４の斜め上方を向くガイド面７５に対して、第一係止具５の突先部が摺接する。ここで、第一係止具５の突先部は、固定片５３から下方に突出する支持片５１の先端に形成された一直線状の下端縁部である。第一係止具５の突先部がガイド面７５に摺接することで、天板部１が下方に移動するほどに天板部１は後ろ側に徐々にスライドし、所定位置に向けて案内される。
【００４６】
（変形例）
次に、一実施形態のガスこんろの各種の変形例について説明する。以下の変形例の説明において、一実施形態のガスこんろで説明した構成と同様の構成については、同一符号を付して詳しい説明を省略する。
【００４７】
一実施形態のガスこんろでは、ガスバーナ２を２つ備えているが、１つ又は３つ以上のガスバーナ２を備えることも可能である。また、一実施形態のガスこんろはオーブンを備えていないが、オーブンを更に備えることも可能である。
【００４８】
また、一実施形態のガスこんろにおいては、弾性片５２を有する第一係止具５が天板部１に取り付けられ、凹所７２を有する第二係止具７が筐体８に取り付けられているが、これが逆でもよい。
【００４９】
第一係止具５が筐体８に取り付けられ、第二係止具７が天板部１に取り付けられた場合であっても、同様の作業で天板部１を筐体８に装着することができ、かつ、天板部１を左右方向及び前後方向において所定位置に向けてガイドすることが可能である。この場合、筐体８に取り付けられた第一係止具５のガイド面５５が、天板部１又はこれに接続された部材に摺接しながら、天板部１を所定位置に向けて案内するように構成されていればよい。
【００５０】
その他の構成においても、同様の作用効果を奏する範囲内において、適宜に設計変更を行うことが可能である。
【００５１】
（作用効果）
一実施形態及びこれの変形例に基づいて説明したように、本開示のガスこんろは、第１の特徴として以下の構成を備える。本開示のガスこんろは、上端に開口部８０を有する筐体８と、筐体８内に取り付けられたガスバーナ２と、ガスバーナ２の上部を通すためのバーナ挿通口１１０を有する天板部１と、天板部１を、開口部８０を閉じる所定位置で筐体８に装着させる装着構造４を具備する。装着構造４は、第一係止具５と第二係止具７を含む。第一係止具５は、天板部１と筐体８の一方に取り付けられ、弾性片５２を有する。第二係止具７は、天板部１と筐体８の他方に取り付けられ、弾性片５２が係止される凹所７２を有する。第一係止具５は、天板部１を筐体８に被せるときに、天板部１を所定位置に向けて案内するように傾斜したガイド面５５を有する。
【００５２】
第１の特徴を備える本開示のガスこんろによれば、天板部１を筐体８に対して上方から被せる簡単な作業で、天板部１を筐体８に対して円滑に装着することができる。
【００５３】
本開示のガスこんろは、第２の特徴として、第１の特徴に加えて以下の構成を備える。本開示のガスこんろにおいて、第一係止具５は、水平方向に距離をあけて一対設けられている。一対の第一係止具５の各々において、もう一方の第一係止具５から遠い側の側端面５１５が、ガイド面５５である。
【００５４】
第２の特徴を備える本開示のガスこんろによれば、天板部１が水平方向の一方の側にずれた場合と他方の側にずれた場合の両方において、そのずれを徐々に修正するように天板部１を所定位置に向けて案内することができる。
【００５５】
また、本開示のガスこんろは、第３の特徴として以下の構成を備える。本開示のガスこんろは、上端に開口部８０を有する筐体８と、筐体８内に取り付けられたガスバーナ２と、ガスバーナ２の上部を通すためのバーナ挿通口１１０を有する天板部１と、天板部１を、開口部８０を閉じる所定位置で筐体８に装着させる装着構造４を具備する。装着構造４は、第一係止具５と第二係止具７を含む。第一係止具５は、天板部１と筐体８の一方に取り付けられ、弾性片５２を有する。第二係止具７は、天板部１と筐体８の他方に取り付けられ、弾性片５２が係止される凹所７２を有する。第二係止具７は、天板部１を筐体８に被せるときに、天板部１を所定位置に向けて案内するように傾斜したガイド面７５を有する。
【００５６】
第３の特徴を備える本開示のガスこんろによれば、天板部１を筐体８に対して上方から被せる簡単な作業で、天板部１を筐体８に対して円滑に装着することができる。
【００５７】
本開示のガスこんろは、第４の特徴として、第３の特徴に加えて以下の構成を備える。本開示のガスこんろにおいて、第二係止具７は、凹所７２が形成された本体部７１と、本体部７１から延長された延長片７４を有し、延長片７４に形成された傾斜面７４５が、ガイド面５５である。
【００５８】
第４の特徴を備える本開示のガスこんろによれば、延長片７４によって第二係止具７の強度を高めることができ、かつ、この延長片７４の傾斜面７４５を利用して、天板部１を所定位置に向けて円滑に案内することができる。そのため、例えば天板部１を筐体８に装着する際に、第一係止具５が延長片７４に当たっても、そのまま装着作業を円滑に続けることができる。
【００５９】
本開示のガスこんろは、第５の特徴として、第１から第４のいずれか一つの特徴に加えて以下の構成を備える。本開示のガスこんろにおいて、第一係止具５は、天板部１に取り付けられている。第二係止具７は、筐体８に取り付けられている。
【００６０】
第５の特徴を備える本開示のガスこんろによれば、弾性片５２を有する第一係止具５を、天板部１の下面の好ましい位置に取り付けることが容易である。天板部１の下面には、部材を取り付ける際の位置選択の自由度が高いという利点がある。
【符号の説明】
【００６１】
１  天板部
１１０  バーナ挿通口
２  ガスバーナ
４  装着構造
５  第一係止具
５１５  側端面
５２  弾性片
５５  ガイド面
７  第二係止具
７２  凹所
７４  延長片
７４５  傾斜面
７５  ガイド面
８  筐体
８０  開口部
【図１】
2020085326.tif 000003
【図２】
2020085326.tif 000004
【図３】
2020085326.tif 000005
【図４】
2020085326.tif 000006
【図５】
2020085326.tif 000007
【図６】
2020085326.tif 000008
【図７】
2020085326.tif 000009
【図８】
2020085326.tif 000010
【図９】
2020085326.tif 000011